(57)【特許請求の範囲】
【請求項１】
外径が０．４ｍｍ以下の細径導体上に、外径が０．８ｍｍ以下となるように絶縁体を被覆して絶縁心線を形成し、前記絶縁心線２条を撚り合わせて対撚線を構成し、各々の厚さが異なる２枚のプラスチックテープの内側を熱可塑性接着剤でコーティングし、かつ前記２枚のプラスチックテープで、所要数並列に並べた前記対撚線を挟み込み、前記対撚線がテープ中央部に配置されるように熱融着して形成された薄型フラットツイストペアすきまケーブルの総厚を、２ｍｍ以下にしたことを特徴とする薄型フラットツイストペアすきまケーブル。
【請求項２】
２枚のプラスチックテープの一方の厚さが５０μｍ以下であり、かつ他方のプラスチックテープの厚さが１００〜２００μｍであることを特徴とする請求項１に記載の薄型フラットツイストペアすきまケーブル。
【請求項３】
前記対撚線の外径よりも大きな外径を有する絶縁心線を前記対撚線と並列に並べて内蔵させたことを特徴とする請求項１から２の内いずれか１項に記載の薄型フラットツイストペアすきまケーブル。
【請求項４】
外径が０．４ｍｍ以下の細径導体上に、外径が０．８ｍｍ以下となるように絶縁体を被覆して絶縁心線を形成し、前記絶縁心線２条を撚り合わせて対撚線を構成し、各々の厚さが異なる２枚のプラスチックテープの内側を熱可塑性接着剤でコーティングし、かつ前記２枚のプラスチックテープで、所要数並列に並べた前記対撚線を挟み込み、前記対撚線がテープ中央部に配置されるように熱融着して形成された薄型フラットツイストペアすきまケーブルの総厚を、２ｍｍ以下にした薄型フラットツイストペアすきまケーブルと、前記薄型フラットツイストペアすきまケーブルに接続されたモジュラローゼットおよび／またはモジュラプラグを備えたことを特徴とするすきまナビゲータユニット。
【請求項５】
前記モジュラローゼットにパルストランスを内蔵させたことを特徴とする請求項４に記載のすきまナビゲータユニット。
【請求項６】
前記モジュラローゼットに接続されている薄型フラットツイストペアすきまケーブルの接続方向が、前記モジュラローゼットの開口面に対して、同方向または垂直方向に接続されていることを特徴とする請求項４から５の内いずれか１項に記載のすきまナビゲータユニット。
【請求項７】
前記薄型フラットツイストペアすきまケーブルと異なる断面形状を有するケーブルを接続するための中継部を備えたことを特徴とする請求項４から６の内いずれか１項に記載のすきまナビゲータユニット。
【発明の詳細な説明】
【技術分野】
【０００１】
本発明は住宅の窓用サツシ等の隙間部分に貼り付けて通線する高速伝送可能な薄型フラットツイストペアすきまケーブル及びすきまナビゲータユニットに関する。
【背景技術】
【０００２】
従来のＬＡＮケーブルに代表される高速伝送用ツイストペアケーブルは、０．５ｍｍの導体上にＰＥ絶縁体を施した絶縁心線２条を撚り合わせて対撚線を構成し、この対撚線４条を更に撚り合わせ、その上から外被を施した丸形ケーブルで、その外径は５〜６ｍｍと太いため、住宅内に引き込む時は、壁に穴を空ける等の方法で通線していた。
【０００３】
【特許文献１】特開平９−５０７１５号公報
【発明の開示】
【発明が解決しようとする課題】
【０００４】
解決しようとする課題は、高速伝送用ツイストペアケーブルをサッシの隙間に無理なく通線するために、厚さを２ｍｍ以下とし、かつ、隙間通線部の長さはせいぜい２０〜３０ｃｍと短いことから減衰性能を除き、その他の性能を満たす細径ツイストペア構造とし、２枚の耐紫外線性能を有するプラスチックテープの片面に熱可塑性接着剤をコーティングしたものをコーティング面を対向させ、その中央部に細径対撚線を所要数挿入し、この２枚のプラスチックテープを融着させることでツイストペアを確実に固定し薄型で高性能なフラットケーブルが提供できる。更に、窓の開閉による衝撃圧力から、このツイストペアを保護するためにフラットケーブルの両端に貼り付ける粘着テープの厚さを対撚線外径より厚くしたり、または、ツイストペアの外径より太い心線や介在の挿入を行った構造のすきまケーブルを提供することにある。
【発明の効果】
【０００５】
本発明の薄型フラットツイストペアすきまケーブルを使用すれば、短い距離という制限がつくものの、高速伝送性能を有して、かつサッシの凹凸に沿って確実に貼り付けることが容易にでき、窓の開閉にも耐えられ、屋外にも使え壁に穴を空ける等の面倒な工事が不要で引き込みが出来るという効果がある。という優れた利点があるので、その工業的価値は大なるものがある。
【発明を実施するための最良の形態】
【０００６】
以下、本発明の薄型フラットツイストぺアすきまケーブル１及びすきまナビゲータユニット９の実施例を添付図面を参照して詳細に説明する。
【実施例１】
【０００７】
始めに、本発明の第１実施例の薄型フラットツイストぺアすきまケーブル１Ａとしては、図１（イ）に示すように、薄型と高速伝送性能を両立させるために、導体径が０．４ｍｍ以下の導体２上に、ＰＥやＰＰ等の絶縁体３を外径が０．８ｍｍ以下となるように被覆して絶縁心線を構成し、この絶縁心線２条を均一に撚り合わせて対撚線４を構成する。この時、絶縁心線の構造は、特性インピーダンスが１００Ωとなるように、また、クロストーク性能に適合させるために、対撚りのピッチは対毎に異ならせてかつ細かく設定する。このような対撚線４を所要数（通常２〜４条）並列に並べる。この並べた対撚線４を内側に熱可塑性接着剤でコーティングし、かつその２枚のプラスチックテープで前記対撚線を挟み込み、並列に並べた対撚線がテープの幅の中央部に来るように熱融着して形成された薄型フラットツイストペアすきまケーブルの総厚が、２ｍｍ以下である薄型フラットツイストペアすきまケーブル１Ａにおいて、２枚のプラスチックテープのそれぞれの厚さが異なる薄型フラットツイストペアすきまケーブルである。
【実施例２】
【０００８】
次に、本発明の第２実施例の薄型フラットツイストぺアすきまケーブル１Ｂとしては、図１（イ）に示すように、実施例１の薄型フラットツイストペアすきまケーブルにおいて、融着する２枚のプラスチックテープの１枚の厚さは、５０μｍ以下、もう１枚の厚さは、１００〜２００μｍと異なるテープ厚とした薄型フラットツイストペアすきまケーブル１Ｂである。このような構造にすることにより、厚い方をベースとして薄いテープが挟み込んだ対撚線を確実に中央部に固定内蔵することが出来て、高速伝送性能を維持させることが可能となる。またこのような構成とすることでフラットケーブルの総厚で２ｍｍ以下となり、サッシの隙間に貼り付ける際に、その凹凸の形状に沿って容易に貼り付けることが出来、かつ窓や戸の開閉の衝撃に耐えられる厚さと強度を有する。また、図には示さないが、実施例１、２のプラスチックテープ５に紫外線遮断用微粉末を添加して内蔵する対撚線４を紫外線から保護した薄型フラットツイストペアすきまケーブルである。ここで、薄型フラットツイストペアすきまケーブルは、サッシに貼り付けられるため、一部は屋外に出るケースが多く、これに用いるプラスチックテープは、無色透明でなくチタンホワイトのような紫外線を遮断する効果のある微粉末を添加したもので耐候性を保有し、ケーブルの両端をテープ間で融着してあるため、防水性能も保有している。
【実施例３】
【０００９】
本発明の第３実施例の薄型フラットツイストぺアすきまケーブル１Ｃ、１Ｄとしては、図１（イ）、（ロ）、（ハ）に示すように、高速信号を伝送する対撚線を窓や戸を開閉する圧力から保護する為に、薄型フラットツイストペアすきまケーブルの両側に貼り付ける粘着テープ６の厚さを対撚線を内蔵したケーブル中央の凸部と同等もしくはそれより厚くするか、または、対撚線の外径より太い絶縁心線８や介在７を対撚線と並列に並べて内蔵させた構造からなる薄型フラットツイストペアすきまケーブルである。ここで、粘着テープの厚さは、フラットケーブルと同等でも構わないが、それより厚い方が好ましい。プラスチックテープとしては、代表的なポリエステルテープを使用したがこれに限るものではない。この様な構造にすることにより、窓や戸の開閉の衝撃に対する強度を向上させるために、対撚線の外径より太い絶縁心線や介在を挿入することや、フラットケーブルの両端部分に対撚線の外径より厚い粘着テープを貼ることにより、これらがダンパーとなって、より強度アップが図れる。ここで、図には示さないが、実施例１から３のそれぞれの薄型フラットツイストペアすきまケーブルを使用することにより、ＬＡＮ用ケーブルの電気的性能規格に準拠した薄型フラットツイストぺアすきまケーブルである。これについては、具体的実施例として、第１、２実施例を例に挙げ、近端漏話減衰量についての評価試験を表２に示し、近端漏話減衰量以外の電気的性能試験を表６に示す。このことから、本発明は、電気的性能規格に準拠して適合していることがわかる。
【実施例４】
【００１０】
本発明の第４実施例のすきまナビゲータユニット９Ａとしては、図１（ハ）に、両端がＬＡＮ用のモジュラローゼット１０の場合を示しているが、これに限らず、両端がモジュラプラグ１１の場合やその２つの組み合わせでも構わない。
【実施例５】
【００１１】
本発明の第５実施例のすきまナビゲータユニットとしては、実施例４のモジュラローゼットにパルストランスを内蔵させることにより、接続されている機器を保護するすきまナビゲータユニットである。ここで、モジュラローゼット内にトランスを設ける理由としては、イーサネット（登録商標）ケーブルの空ピンを使用した電源給電等を想定した場合に、すきまケーブルで被覆の破損やケーブル断線が発生し、イーサネット（登録商標）信号線に短絡すると、被接続機器のイーサネット（登録商標）入出力デバイス破損の可能性がある。これを保護するためにケーブル内にトランスを設ける。ケーブルにトランスを設けることにより、イーサネット（登録商標）信号ラインに直流が印可されてもデバイスには電圧が印可されることなく、かつ電流も流れないため、被接続機器のインターフェース回路に依存することなく保護することが可能となる。
【実施例６】
【００１２】
本発明の第６実施例のすきまナビゲータユニットとしては、図１（ニ）に示すように、実施例５のモジュラローゼットに接続されているフラットツイストペアすきまケーブルの接続方向は、前記モジュラローゼットの開口面に対して、図１（ハ）に示す同方向以外に、垂直方向に接続されているすきまナビゲータユニット９Ｂである。このような構造にすることにより、自由度が増し、窓用サッシ等の取り付け位置や規格サイズや規格外及びレイアウト変更や配線変更に対しても柔軟に対応することが可能になる。
【実施例７】
【００１３】
本発明の第７実施例のすきまナビゲータユニット９Ｃとしては、図１（ホ）に示すように、実施例４から６の各々の薄型フラットツイストペアすきまケーブルにおいて、通常の丸形ケーブルに接続するために中継部１４を更に設けたすきまナビゲータユニットである。ここで、中継部１４の役目は、熱収縮チューブと基板等から構成され、ＬＡＮケーブルとフラットケーブルを接続する役目を果たしている。
【００１４】
次に、本発明の第３実施例の薄型フラットツイストぺアすきまケーブル１Ｄ（対撚線４の両サイドに対撚線４より太い絶縁心線８を配置し、かつその外側に設けたプラスチックテープ５の両サイドに更に、粘着テープ６を設けた構造）の具体的実施例を挙げて説明する。下記の表１にその構成表を示す。この実施例の場合、表１から明らかように、フラットケーブル部の厚さは、約１ｍｍとなり、好ましい結果を示したが、許容範囲として約２ｍｍなら問題はない。また、両端の粘着材を貼り付けた部分（２枚のテープ部分を含む）の厚さは、約１．５ｍｍとなった。
【００１５】
【表１】
0003968358.tif 000002
【００１６】
次に、本発明の第３実施例の薄型フラットツイストぺアすきまケーブル１Ｄを実際に窓用アルミサッシに貼り付け、布設試験（１）と挟み込み試験（２）と衝撃試験（３）を行い、まとめた結果の一覧表を下記の表２に示す。
【００１７】
【表２】
0003968358.tif 000003
【００１８】
本発明のケーブルを使用し、１番目の布設試験を行った近端漏話減衰量（ＮＥＸＴ）性能評価試験結果（１）を下記の表３に示す。
【００１９】
【表３】
0003968358.tif 000004
【００２０】
本発明のケーブルを使用し、２番目の挟み込み試験を行った近端漏話減衰量（ＮＥＸＴ）性能評価試験結果（２）を下記の表４に示す。
【００２１】
【表４】
0003968358.tif 000005
本発明のケーブルを使用し、３番目の衝撃試験を行った近端漏話減衰量（ＮＥＸＴ）性能評価試験結果（３）を下記の表５に示す。
【００２２】
【表５】
0003968358.tif 000006
【００２３】
以上の表３、４、５の評価試験結果から、いずれも、初期値と試験後において、いずれも変化なく、近端漏話減衰量の基準値に対して、性能レベルに適合していることがわかる。
【００２４】
更に、近端漏話減衰量以外の電気的試験についても評価試験を行い、まとめて一覧表にした結果を下記の表６に示す。
【表６】
0003968358.tif 000007
【００２５】
このことから、本発明は、近端漏話減衰量を初めとする電気的性能規格に準拠して適合されていることがわかる。
【産業上の利用可能性】
【００２６】
これまで、本発明は、窓用サッシに取り付ける場合や中継部を代表的に取って説明してきたが、多少の変形例があっても構わず、幅広い用途に応用することが可能であることはいうまでもない。
【図面の簡単な説明】
【００２７】
【図１】（イ）は、本発明の第１、第２実施例の薄型フラットツイストペアすきまケーブル１Ａ、１Ｂの断面図である。（ロ）は、本発明の第３実施例の薄型フラットツイストペアすきまケーブル１Ｃ、１Ｄの断面図である。（ハ）は、本発明の第４実施例のすきまナビゲータユニット９Ａの斜視図である。（ニ）は、本発明の第６実施例のすきまナビゲータユニット９Ｂの斜視図である。（ホ）は、本発明の第７実施例のすきまナビゲータユニット９Ｃの斜視図である。
【図２】従来のＬＡＮケーブル１′の断面図である。
【符号の説明】
【００２８】
１Ａ、１Ｂ、１Ｃ、１Ｄ
本発明の薄型フラットツイストペアすきまケーブル
２    導体
３    絶縁体
４    対撚線
５    プラスチックテープ
６    粘着テープ
７    介在
８    絶縁心線
９Ａ、９Ｂ、９Ｃ
本発明のすきまナビゲータユニット
10    モジュラローゼット
11    モジュラプラグ
12    薄型フラットツイストペアすきまケーブル
13    丸形ＬＡＮケーブル
14    中継部
１′  従来のＬＡＮケーブル
２′  導体
３′  絶縁体
４′  対撚線
７′  介在
15′  外被
【図１】
0003968358.tif 000008
【図２】
0003968358.tif 000009